(57)【要約】  本発明は、筐体と、回転可能に筐体内に設けられる洗浄槽を含む洗濯機を開示する。前記洗浄槽は、洗浄時に水を蓄える槽体構造として配置される。洗浄槽の周壁には、内部の水を洗浄槽の外部に排出するよう案内する排水アセンブリが設けられており、排水アセンブリに対応する排水経路を通じて水を洗浄槽の外部に排出する。当該排水経路は、洗浄槽の内部の水を洗浄槽の径方向又は周方向に沿って排水アセンブリ内に案内する第１経路と、排水アセンブリ内において水を下方に案内し、洗浄槽の外部に排出する第２経路を含む。本発明は、洗浄槽の周壁に設けられる排水アセンブリを利用して、径方向又は周方向に迅速且つ指向的に排水することで排水効率を向上させる。【選択図】図２
2021515643.tif 000002
【特許請求の範囲】
【請求項１】
筐体と、回転可能に筐体内に設けられる洗浄槽を含む洗濯機であって、
前記洗浄槽は、洗浄時に水を蓄える槽体構造として配置され、洗浄槽の周壁には、内部の水を洗浄槽の外部に排出するよう案内する排水アセンブリが設けられており、排水アセンブリに対応する排水経路を通じて水を洗浄槽の外部に排出し、
当該排水経路は、
洗浄槽の内部の水を洗浄槽の径方向又は周方向に沿って排水アセンブリ内に案内する第１経路と、
排水アセンブリ内において水を下方に案内し、洗浄槽の外部に排出する第２経路を含むことを特徴とする洗濯機。
【請求項２】
前記排水アセンブリは、洗浄槽の周壁が位置する円周領域の内部に設けられて上から下に水を案内する第１排水経路を含み、第１排水経路の上部は、洗浄槽の内部の水が洗浄槽の周方向に沿って第１排水経路内に進入するための入水端となっており、下部は、洗浄槽の外部に排水するための吐水端となっていることを特徴とする請求項１に記載の洗濯機。
【請求項３】
前記排水アセンブリは、洗浄槽の周壁及び／又は底壁に設けられる第１排水口を更に含み、前記第１排水経路は洗浄槽の内周壁に装着されており、第１排水経路は、下部に前記第１排水口が覆設されており、上部に入水口が設けられており、且つ、第１排水経路は、入水口から下方へ第１排水口に至る第２経路を規定していることを特徴とする請求項２に記載の洗濯機。
【請求項４】
前記第１排水経路は独立した構造であって、上部における径方向に対応する側壁に入水口を有しており、内部には第２経路を形成する導水室が備わっており、下部には第１排水口と連通する吐水口が備わっており、或いは、第１排水経路はカバー体構造であって、洗浄槽の内周壁に組み合わされて導水室を形成し、
好ましくは、第１排水経路は、上端の径方向に対応する側壁に入水口を有し、
更に好ましくは、前記入水口は洗浄槽の脱水時の回転方向と一致する径方向の側壁に設けられ、入水口の開口方向が洗浄槽の脱水時の回転方向と一致していることを特徴とする請求項３に記載の洗濯機。
【請求項５】
前記洗浄槽の周壁には、開口が外側を向く少なくとも１つの凹溝が上下方向に設けられており、凹溝の槽底は、内側に向かって洗浄槽の内周壁から突出しており、凹溝の開口にはカバープレートが覆設されて前記第１排水経路を構成しており、凹溝内には、上から下へ水を案内する第２経路が備わっており、
好ましくは、凹溝は上端の側壁に入水口を有しており、カバープレートの下部に吐水口が設けられており、
更に好ましくは、前記入水口は洗浄槽の脱水時の回転方向と一致する凹溝の径方向の側壁に設けられ、入水口の開口方向が洗浄槽の脱水時の回転方向と一致しており、
より好ましくは、カバープレートは、洗浄槽の周壁の弧と一致する円弧状プレートであり、洗浄槽の外周壁と同一の円周面上に位置することを特徴とする請求項２に記載の洗濯機。
【請求項６】
前記凹溝は、洗浄槽の周壁における外側から内側に向かう押し型構造であるか、或いは、凹溝は独立した溝形構造であり、凹溝に少なくとも１つの円弧状プレート材が密封接続されることで洗浄槽の槽壁が構成され、好ましくは、溶接又はリベット接合によって接続がなされることを特徴とする請求項５に記載の洗濯機。
【請求項７】
前記排水アセンブリは、洗浄槽の周壁が位置する円周領域の外部に設けられて上から下に水を案内する第２排水経路を含み、第２排水経路の上部は、洗浄槽の内部と連通する入水端となっており、洗浄槽の内部の水を洗浄槽の径方向に第２排水経路内に進入させ、下部は水を排出するための吐水端となっていることを特徴とする請求項１に記載の洗濯機。
【請求項８】
前記排水アセンブリは、洗浄槽の周壁に設けられる第２排水口を更に含み、前記第２排水経路は洗浄槽の外周壁に装着されており、第２排水経路は上部に前記第２排水口が覆設されており、下部に吐水口が設けられており、且つ、第２排水経路は上から下に向かって吐水口に至る第２経路を規定していることを特徴とする請求項７に記載の洗濯機。
【請求項９】
前記第２排水経路は独立した構造であって、上部に第２排水口と連通する入水口を有しており、内部には第２経路を形成する導水室が備わっており、下部には吐水口が備わっており、或いは、第２排水経路はカバー体構造であって、洗浄槽の内周壁に組み合わされて導水室を形成することを特徴とする請求項８に記載の洗濯機。
【請求項１０】
前記洗浄槽の周壁には、開口が内側を向く少なくとも１つの凹溝が上下方向に設けられており、凹溝の槽底は、外側に向かって洗浄槽の外周壁から突出しており、凹溝の開口にはカバープレートが覆設されて前記第２排水経路を構成しており、凹溝内には、上から下へ水を案内する第２経路が備わっており、
好ましくは、凹溝の下端には吐水口が備わっており、カバープレートの上部には入水口が設けられており、
更に好ましくは、カバープレートは洗浄槽の周壁の弧と一致する円弧状プレートであって、洗浄槽の内周壁から突出せず、より好ましくは、洗浄槽の内周壁と同一の円周面上に位置することを特徴とする請求項７に記載の洗濯機。
【請求項１１】
前記凹溝は、洗浄槽の周壁における内側から外側に向かう押し型構造であるか、或いは、凹溝は独立した溝形構造であり、凹溝に少なくとも１つの円弧状プレート材が密封接続されることで洗浄槽の槽壁が構成され、好ましくは、溶接又はリベット接合によって接続がなされることを特徴とする請求項１０に記載の洗濯機。
【請求項１２】
前記洗浄槽の周壁には、開口が内側を向く少なくとも１つの凹溝が上下方向に設けられており、凹溝の槽底は、外側に向かって洗浄槽の外周壁から突出しており、凹溝の開口には洗浄槽の内周壁から突出するカバープレートが覆設されており、凹溝の下端には吐水口が備わっており、カバープレートは、上部における洗浄槽の径方向に対応する側壁に入水口が設けられており、洗浄槽の内部の水は洗浄槽の周方向に沿って入水口から凹溝内に進入し、凹溝内には、上から下へ水を案内する第２経路が備わっており、
好ましくは、入水口は洗浄槽の脱水時の回転方向と一致するカバープレートの径方向の側壁に設けられ、入水口の開口方向が洗浄槽の脱水時の回転方向と一致していることを特徴とする請求項１に記載の洗濯機。
【発明の詳細な説明】
【技術分野】
【０００１】
本発明は洗濯の分野に属し、具体的には洗濯機に関する。
【背景技術】
【０００２】
一般的に、従来の全自動パルセータ洗濯機は、内槽、外槽、ダンパー及び動力システムから構成される。洗濯時及び脱水時には、内槽が外槽に対し回転することで衣類と洗浄水の間に作用が生じ、衣類を洗浄又は脱水するとの目的が達せられる。外槽は内槽の外部に装着されて内槽を支持する。また、外槽は貯水槽となる。内槽の側壁には排水孔が均一に配置されており、内槽と外槽を連通させている。洗濯過程では衣類が内槽内に投入され、２つの槽の水位が同様の高さとなるが、外槽は衣類と接触しない。また、従来の洗濯機の外槽は内槽よりも体積が大きいため、内槽と外槽の間に洗浄水が大量に蓄えられるが、これらの槽の間の洗浄液は十分に活用することができない。これにより、洗濯時の水の使用量が増加するとともに、洗浄時の洗浄液の濃度が低下するほか、洗濯機全体の体積も過度に大きくなってしまう。また、使用から一定期間が経過すると、外槽の内壁と内槽の外壁に汚れが付着し、ひいてはカビが発生する結果、洗濯物が汚染される。且つ、槽壁はクリーニングが難しい。
【０００３】
こうした状況に対し、改良を行っているメーカーもある。水資源の節約のために、多くの洗濯機が孔の無い内槽を採用しており、図１に示すように、内槽と外槽を分離することで、外槽１’に水を存在させることなく内槽２’のみに貯水するようにしている。また、内槽２’の側壁における上端寄りに排水孔３’を開設している。この場合、洗濯機の脱水時に、水は遠心力の作用で内槽の内壁へと振り出され、内槽の内壁に沿って上方へ移動したあと、内槽２’上端の排水孔３’から排出される。これにより、洗濯機の節水効果が向上するとともに、洗剤の使用量も節約される。
【０００４】
しかし、上記の方案には次のような課題がある。即ち、洗濯機は脱水時に高速回転するため、衣類中の水は内槽２’の側壁における排水孔３’から振り出されると、そのまま外槽１’の側壁に衝突し、容易に四方へと飛散する。これにより、外槽の内壁には長期にわたって水が存在するため、やはり細菌が繁殖しやすく、環境への配慮には弱い。
【０００５】
特許文献１は、一槽式の節水型洗濯機を開示している。当該洗濯機は、洗浄槽の槽口に集水装置が設けられ、集水装置の集水口が洗浄槽に沿って槽口を取り囲んでいる。集水装置のうち槽口部分に位置する集水室は、洗浄槽の外壁に沿って上から下に対称に配置される複数の排水管に接続されている。脱水時には、高速回転により遠心分離された水流を集水装置が収集し、下方に案内して排出する。当該構造では外槽を省略しているが、洗濯機の脱水時に洗浄水はまず集水装置に進入する。ところが、集水装置は環状構造をなしており、内部に溜まった洗浄水の下方への排水速度が異なるため、洗浄槽の高速回転時の平衡が損なわれる。また、洗浄水は集水装置に進入したあと、洗浄槽の下部から中心に集結して排出されるため、排水には不利である。このことから、遠心力の作用で集水室に集中した水を排出しにくく、洗浄水が洗浄槽の上端に集中する結果、洗浄槽の上部の重量が増大して、更に平衡が損なわれる。特に、洗浄槽に残留した水が多い場合には、大部分の洗浄水が集水室内に集中して排出されなくなるため、洗浄槽と外槽の全体の重心が高くなり、極めて大きな震動及び騒音が発生する。また、脱水モータの動作負荷も増大し、モータが破損しやすくなる。
【０００６】
以上に鑑みて、本発明を提案する。
【先行技術文献】
【特許文献】
【０００７】
【特許文献１】中国特許出願第９９２３０４５５．５号明細書
【発明の概要】
【発明が解決しようとする課題】
【０００８】
本発明が解決しようとする技術的課題は、従来技術の瑕疵を解消し、脱水効率と排水速度を向上可能であり、排水時に水の飛散が防止される洗濯機を提供することである。
【課題を解決するための手段】
【０００９】
上記の技術的課題を解決するために、本発明で採用する技術方案の基本思想は以下の通りである。
【００１０】
洗濯機であって、筐体と、回転可能に筐体内に設けられる洗浄槽を含む。前記洗浄槽は、洗浄時に水を蓄える槽体構造として配置される。洗浄槽の周壁には、内部の水を洗浄槽の外部に排出するよう案内する排水アセンブリが設けられており、排水アセンブリに対応する排水経路を通じて水を洗浄槽の外部に排出する。当該排水経路は、洗浄槽の内部の水を洗浄槽の径方向又は周方向に沿って排水アセンブリ内に案内する第１経路と、排水アセンブリ内において水を下方に案内し、洗浄槽の外部に排出する第２経路を含む。
【００１１】
更に、前記排水アセンブリは、洗浄槽の周壁が位置する円周領域の内部に設けられて上から下に水を案内する第１排水経路を含む。第１排水経路の上部は、洗浄槽の内部の水が洗浄槽の周方向に沿って第１排水経路内に進入するための入水端となっており、下部は、洗浄槽の外部に排水するための吐水端となっている。
【００１２】
更なる方案として、前記排水アセンブリは、洗浄槽の周壁及び／又は底壁に設けられる第１排水口を更に含む。前記第１排水経路は洗浄槽の内周壁に装着されている。第１排水経路は、下部に前記第１排水口が覆設されており、上部に入水口が設けられている。且つ、第１排水経路は、入水口から下方へ第１排水口に至る第２経路を規定している。
【００１３】
更に、前記第１排水経路は独立した構造であって、上部における径方向に対応する側壁に入水口を有している。また、内部には第２経路を形成する導水室が備わっており、下部には第１排水口と連通する吐水口が備わっている。或いは、第１排水経路はカバー体構造であって、洗浄槽の内周壁に組み合わされて導水室を形成する。
【００１４】
好ましくは、第１排水経路は、上端の径方向に対応する側壁に入水口を有する。
【００１５】
更に好ましくは、前記入水口は洗浄槽の脱水時の回転方向と一致する径方向の側壁に設けられ、入水口の開口方向が洗浄槽の脱水時の回転方向と一致している。
【００１６】
或いは、上記の代替方案として、前記洗浄槽の周壁には、開口が外側を向く少なくとも１つの凹溝が上下方向に設けられている。凹溝の槽底は、内側に向かって洗浄槽の内周壁から突出している。凹溝の開口にはカバープレートが覆設されて前記第１排水経路を構成している。また、凹溝内には、上から下へ水を案内する第２経路が備わっている。
【００１７】
好ましくは、凹溝は上端の側壁に入水口を有しており、カバープレートの下部に吐水口が設けられている。
【００１８】
更に好ましくは、前記入水口は洗浄槽の脱水時の回転方向と一致する凹溝の径方向の側壁に設けられ、入水口の開口方向が洗浄槽の脱水時の回転方向と一致している。
【００１９】
より好ましくは、カバープレートは、洗浄槽の周壁の弧と一致する円弧状プレートであり、洗浄槽の外周壁と同一の円周面上に位置する。
【００２０】
更に、前記凹溝は、洗浄槽の周壁における外側から内側に向かう押し型構造である。或いは、凹溝は独立した溝形構造である。凹溝に少なくとも１つの円弧状プレート材が密封接続されることで洗浄槽の槽壁が構成され、好ましくは、溶接又はリベット接合によって接続がなされる。
【００２１】
更に、前記排水アセンブリは、洗浄槽の周壁が位置する円周領域の外部に設けられて上から下に水を案内する第２排水経路を含む。第２排水経路の上部は、洗浄槽の内部と連通する入水端となっており、洗浄槽の内部の水を洗浄槽の径方向に第２排水経路内に進入させ、下部は水を排出するための吐水端となっている。
【００２２】
更に、前記排水アセンブリは、洗浄槽の周壁に設けられる第２排水口を含む。前記第２排水経路は洗浄槽の外周壁に装着されている。第２排水経路は上部に前記第２排水口が覆設されており、下部に吐水口が設けられている。且つ、第２排水経路は上から下に向かって吐水口に至る第２経路を規定している。
【００２３】
更に、前記第２排水経路は独立した構造であって、上部に第２排水口と連通する入水口を有している。また、内部には第２経路を形成する導水室が備わっており、下部には吐水口が備わっている。或いは、第２排水経路はカバー体構造であって、洗浄槽の内周壁に組み合わされて導水室を形成する。
【００２４】
更に、前記洗浄槽の周壁には、開口が内側を向く少なくとも１つの凹溝が上下方向に設けられている。凹溝の槽底は、外側に向かって洗浄槽の外周壁から突出している。凹溝の開口にはカバープレートが覆設されて前記第２排水経路を構成している。また、凹溝内には、上から下へ水を案内する第２経路が備わっている。
【００２５】
好ましくは、凹溝の下端には吐水口が備わっており、カバープレートの上部には入水口が設けられている。
【００２６】
更に好ましくは、カバープレートは洗浄槽の周壁の弧と一致する円弧状プレートであって、洗浄槽の内周壁から突出せず、より好ましくは、洗浄槽の内周壁と同一の円周面上に位置する。
【００２７】
更に、前記凹溝は、洗浄槽の周壁における内側から外側に向かう押し型構造である。或いは、凹溝は独立した溝形構造である。凹溝に少なくとも１つの円弧状プレート材が密封接続されることで洗浄槽の槽壁が構成され、好ましくは、溶接又はリベット接合によって接続がなされる。
【００２８】
更に、前記洗浄槽の周壁には、開口が内側を向く少なくとも１つの凹溝が上下方向に設けられている。凹溝の槽底は、外側に向かって洗浄槽の外周壁から突出している。凹溝の開口には洗浄槽の内周壁から突出するカバープレートが覆設されており、凹溝の下端には吐水口が備わっている。カバープレートは、上部における洗浄槽の径方向に対応する側壁に入水口が設けられている。洗浄槽の内部の水は洗浄槽の周方向に沿って入水口から凹溝内に進入する。凹溝内には、上から下へ水を案内する第２経路が備わっている。
【００２９】
好ましくは、入水口は洗浄槽の脱水時の回転方向と一致するカバープレートの径方向の側壁に設けられ、入水口の開口方向が洗浄槽の脱水時の回転方向と一致している。
【００３０】
更なる方案として、本発明の洗濯機における排水経路は、第１経路から排水アセンブリ内に案内された水を方向転換させて第２経路に案内する第３経路を更に含む。
【００３１】
更に、排水アセンブリ内には導水部材が設けられており、排水アセンブリ内に進入した水を方向転換させて下方に案内する。
【００３２】
好ましくは、当該導水部材は、排水アセンブリの天井壁から下方に向かって、配線アセンブリにおける洗浄槽の中心から離隔した側壁まで延伸する傾斜状又は円弧状の案内壁である。
【００３３】
更に、洗濯機は、筐体内に設けられて洗浄槽から排出された水を収集する水受装置を含む。水受装置は、集水室と、外部に排水するための少なくとも１つの第３排水口を含む。
【００３４】
上記の技術方案を用いることで、本発明は従来技術と比較して以下のような有益な効果を有する。
【００３５】
本発明の洗濯機における洗浄槽は洗浄過程で貯水に使用可能なため、洗浄槽には「孔の無い内槽」構造が採用されている。また、洗浄槽の回転速度を制御し、遠心力を利用することで、洗浄水を排水アセンブリを通じて迅速に洗浄槽の外部まで案内する。これにより、本発明は以下のような技術的効果を有する。
【発明の効果】
【００３６】
１．洗浄過程において、水は洗浄槽内にのみ存在することから、従来の洗濯機のように内槽と外槽の間に水が溜まり、外槽の内壁と洗浄槽の外壁に「汚れや垢が付着する」との課題が回避される。よって、より良好な洗浄効果を有する。
【００３７】
２．洗浄槽を貯水槽とすることで、洗浄過程において内槽と外槽の間に水が存在しなくなるため、洗浄用水量が減少し、洗浄用水量の節約となる。
【００３８】
３．洗浄槽の周壁に設けられる排水アセンブリを利用して、径方向又は周方向に迅速且つ指向的に排水することで排水効率が向上する。
【００３９】
以下に、図面を組み合わせて、本発明の具体的実施形態につき更に詳細に述べる。
【００４０】
図面は、本発明の一部として本発明の更なる理解のために用いられる。また、本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００４１】
【図１】図１は、従来の洗濯機の排水を示す図である。
【図２】図２は、本発明の洗濯機における排水アセンブリの一実施形態を示す図である。
【図３】図３は、本発明の第１排水経路の一実施形態を示す図である。
【図４】図４は、本発明の第１排水経路の他の実施形態を示す図である。
【図５】図５は、本発明の第１排水経路の更なる実施形態を示す図である。
【図６】図６は、本発明の洗濯機における排水アセンブリの他の実施形態を示す図である。
【図７】図７は、本発明の第２排水経路の一実施形態を示す図である。
【図８】図８は、本発明の第２排水経路の他の実施形態を示す図である。
【図９】図９は、本発明の第２排水経路の更なる実施形態を示す図である。
【図１０】図１０は、本発明の洗濯機における排水アセンブリの第３実施形態を示す図である。
【図１１】図１１は、本発明の洗濯機における排水アセンブリの第４実施形態を示す図である。
【図１２】図１２は、本発明の排水アセンブリにおける導水部材を示す図である。
【発明を実施するための形態】
【００４２】
説明すべき点として、これらの図面及び文字記載は、何らかの方式で本発明の構想の範囲を制限するとの意図ではなく、特定の実施例を参照して当業者に本発明の概念を説明するためのものである。
【００４３】
本発明における実施例の目的、技術方案及び利点をより明確とすべく、以下では、本発明の実施例にかかる図面を組み合わせて、実施例の技術方案につき明瞭簡潔に述べる。なお、以下の実施例は本発明を説明するためのものであって、本発明の範囲を制限するものではない。
【００４４】
本発明の記載において、説明すべき点として、「上」、「下」、「前」、「後」、「左」、「右」、「垂直」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００４５】
本発明の記載において、説明すべき点として、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、直接的な連なりであってもよいし、中間媒体を介した間接的な連なりであってもよい。当業者であれば、具体的状況に応じて本発明における上記用語の具体的意味を解釈可能である。
【００４６】
図２〜図１１に示すように、本発明の洗濯機は、筐体（図示しない）と、回転可能に筐体内に設けられる洗浄槽１を含む。前記洗浄槽１は、洗浄時に水を蓄える槽体構造として配置される。洗浄槽１の周壁には、内部の水を洗浄槽１の外部に排出するよう案内する排水アセンブリ２が設けられており、排水アセンブリ２に対応する排水経路を通じて水を洗浄槽１の外部に排出する。洗濯機は、更に、筐体内に設けられて洗浄槽から排出された水を収集する水受装置３を含む。水受装置３は、集水室３１と、外部に排水するための少なくとも１つの第３排水口３２を含む。
【００４７】
当該排水経路は、洗浄槽１の内部の水を洗浄槽１の径方向又は周方向に沿って排水アセンブリ２内に案内する第１経路４１と、排水アセンブリ２内において水を下方に案内し、洗浄槽１の外部に排出する第２経路４２を含む。
【実施例１】
【００４８】
図２に示すように、本実施例で記載する排水アセンブリ２は、洗浄槽１の周壁が位置する円周領域の内部に設けられて上から下に水を案内する第１排水経路２１を含む。第１排水経路２１の上部は、洗浄槽１の内部の水が洗浄槽の周方向に沿って第１排水経路２１内に進入するための入水端２１１となっており、下部は、洗浄槽の外部に排水するための吐水端２１２となっている。
【実施例２】
【００４９】
図２に示すように、実施例１をベースに、本実施例で記載する排水アセンブリ２は、洗浄槽１の周壁に設けられる第１排水口１１を更に含むか、底壁に第１排水口が設けられている。図３及び図４に示すように、前記第１排水経路２１は洗浄槽１の内周壁に装着されている。第１排水経路２１は、下部に前記第１排水口１１が覆設されて、上部に入水口２１３が設けられている。且つ、第１排水経路２１は、入水口２１３から下方に向かって第１排水口１１に至る第２経路４２を規定している。
【００５０】
更に、図３に示すように、前記第１排水経路２１は独立した構造であって、上部における径方向に対応する側壁に入水口２１３を有している。また、内部には第２経路を形成する導水室２１４が備わっており、下部には第１排水口１１と連通する吐水口が備わっている。或いは、図４に示すように、第１排水経路２１はカバー体構造であって、洗浄槽１の内周壁に組み合わされて導水室２１４を形成する。また、カバー体は、上部における径方向に対応する側壁に入水口２１３を有する。
【００５１】
第１排水経路２１は中空の円管構造又は矩形の管状構造をなしている。好ましくは、第１排水経路２１は、上端の径方向に対応する側壁に入水口２１３を有する。上記の径方向に対応する側壁とは、第１排水経路のうち洗浄槽の内周壁及びその反対側の側壁を除く隣接する側壁のことであり、洗浄槽の径方向に設けられるか、洗浄槽の径方向に接近している。
【００５２】
より好ましくは、前記入水口２１３は、洗浄槽１の脱水時の回転方向と一致する径方向の側壁に設けられ、入水口２１３の開口方向が洗浄槽１の脱水時の回転方向と一致している。
【実施例３】
【００５３】
図５に示すように、実施例１をベースに、本実施例で記載する洗浄槽１の周壁には、開口が外側を向く少なくとも１つの凹溝１２が上下方向に設けられている。凹溝１２の槽底は、内側に向かって洗浄槽１の内周壁から突出している。凹溝１２の開口にはカバープレート１３が覆設されて前記第１排水経路２１を構成している。また、凹溝１２内には、上から下へ水を案内する第２経路４２（図２参照）が備わっている。
【００５４】
好ましくは、凹溝１２は上端の側壁に入水口２１３を有しており、カバープレート１３の下部に吐水口が設けられている。
【００５５】
更に好ましくは、前記入水口２１３は、洗浄槽の脱水時の回転方向と一致する凹溝１２の径方向の側壁に設けられ、入水口２１３の開口方向が洗浄槽１の脱水時の回転方向と一致している。
【００５６】
より好ましくは、カバープレート１３は、洗浄槽１の周壁の弧と一致する円弧状プレートであり、洗浄槽１の外周壁と同一の円周面上に位置する。
【実施例４】
【００５７】
実施例３をベースに、本実施例で記載する凹溝１２は、洗浄槽１の周壁における外側から内側に向かう一体押し型構造である。或いは、凹溝１２は独立した溝形構造である。また、凹溝１２に少なくとも１つの円弧状プレート材が密封接続されることで洗浄槽１の槽壁が構成され、好ましくは、溶接又はリベット接合によって接続がなされる。
【実施例５】
【００５８】
図６に示すように、本実施例で記載する排水アセンブリ２は、洗浄槽１の周壁が位置する円周領域の外部に設けられて上から下に水を案内する第２排水経路２２を含む。第２排水経路２２の上部は、洗浄槽の内部と連通する入水端２２１となっており、洗浄槽の内部の水を洗浄槽の径方向に第２排水経路２２内に進入させる。また、下部は水を排出するための吐水端２２２となっている。
【実施例６】
【００５９】
図６に示すように、実施例５をベースに、本実施例で記載する排水アセンブリ２は、洗浄槽１の周壁に設けられる第２排水口１４を更に含む。図７及び図８に示すように、前記第２排水経路２２は洗浄槽１の外周壁に装着されている。第２排水経路２２は上部に前記第２排水口１４が覆設されており、下部に吐水口が設けられている。且つ、第２排水経路２２は、上から下に向かって吐水口に至る第２経路４２を規定している。
【００６０】
更に、図７に示すように、前記第２排水経路２２は独立した構造であって、上部に第２排水口と連通する入水口を有している。また、内部には第２経路を形成する導水室２２３が備わっており、下部には吐水口が備わっている。或いは、図８に示すように、第２排水経路２２はカバー体構造であって、これにより覆われる第２排水口１４が第２排水経路２２の入水口となる。また、カバー体と洗浄槽１の内周壁が組み合わされて導水室２２３が形成される。
【実施例７】
【００６１】
図９に示すように、実施例５をベースに、本実施例で記載する洗浄槽１の周壁には、開口が内側を向く少なくとも１つの凹溝１５が上下方向に設けられている。凹溝１５の槽底は、外側に向かって洗浄槽１の外周壁から突出している。凹溝１５の開口にはカバープレート１６が覆設されて前記第２排水経路２２を構成している。また、凹溝１５内には、上から下へ水を案内する第２経路４２（図６参照）が備わっている。
【００６２】
好ましくは、凹溝１５の下端には吐水口（図示しない）が備わっており、カバープレート１６の上部には入水口１６１が設けられている。
【００６３】
更に好ましくは、カバープレート１６は洗浄槽１の周壁の弧と一致する円弧状プレートであって、洗浄槽の内周壁から突出せず、より好ましくは、洗浄槽の内周壁と同一の円周面上に位置する。
【実施例８】
【００６４】
実施例７をベースに、本実施例で記載する凹溝１５は、洗浄槽１の周壁における内側から外側に向かう押し型構造である。或いは、凹溝１５は独立した溝型構造である。また、凹溝１５に少なくとも１つの円弧状プレート材が密封接続されることで洗浄槽の槽壁が構成され、好ましくは、溶接又はリベット接合によって接続がなされる。
【実施例９】
【００６５】
図１０に示すように、上記実施例７とは異なり、本実施例で記載するカバープレート１６は洗浄槽１の内周壁から突出している。カバープレート１６は、上部における洗浄槽１の径方向に対応する側壁に周方向の入水口１６１が設けられている。洗浄槽１の内部の水は洗浄槽の周方向に沿って入水口１６１から凹溝１５内に進入する。凹溝内には、上から下へ水を案内する第２経路が備わっている。
【００６６】
好ましくは、入水口１６１は、洗浄槽１の脱水時の回転方向と一致するカバープレート１６の径方向の側壁に設けられ、入水口１６１の開口方向が洗浄槽の脱水時の回転方向と一致している。
【実施例１０】
【００６７】
図１１に示すように、本実施例は、実施例１〜実施例４を実施例５又は実施例６とそれぞれ組み合わせて構成される排水アセンブリであって、洗浄槽１の周壁の内部に設けられる第１排水経路２１と、洗浄槽１の周壁の外部に設けられる第２排水経路２２を含んでいる。また、第２排水経路２２は洗浄槽１の外周壁の下部に設けられている。
【実施例１１】
【００６８】
図１２に示すように、上記各実施例をベースに、本実施例の洗濯機における排水経路は、第１経路４１から排水アセンブリ４内に案内された水を方向転換させて第２経路４２に案内する第３経路４３を更に含む。
【００６９】
更に、排水アセンブリ４内には導水部材５が設けられており、排水アセンブリ４内に進入した水を方向転換させて下方に案内する。
【００７０】
好ましくは、当該導水部材５は、排水アセンブリ４の天井壁４４から下方に向かって、配線アセンブリにおける洗浄槽の中心から離隔した側壁４５まで延伸する傾斜状又は円弧状の案内壁である。
【００７１】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて実施可能なわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【図１】
2021515643.tif 000003
【図２】
2021515643.tif 000004
【図３】
2021515643.tif 000005
【図４】
2021515643.tif 000006
【図５】
2021515643.tif 000007
【図６】
2021515643.tif 000008
【図７】
2021515643.tif 000009
【図８】
2021515643.tif 000010
【図９】
2021515643.tif 000011
【図１０】
2021515643.tif 000012
【図１１】
2021515643.tif 000013
【図１２】
2021515643.tif 000014
【国際調査報告】
2021515643.tif 000015
2021515643.tif 000016
2021515643.tif 000017
2021515643.tif 000018